【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
複数の画素を備える画像センサを用いて画像を撮影する方法であって、
前記複数の画素のうちの一画素の第１の光感知素子を介して第１のウェルキャパシティを提供することと、
前記複数の画素のうちの前記画素の第２の光感知素子を介して第２のウェルキャパシティを提供することと、ここにおいて、前記第２のウェルキャパシティは、前記第１のウェルキャパシティよりも大きい、
前記画素の前記第１の光感知素子に対して第１の積分時間を決定することと、
前記画素の前記第２の光感知素子に対して第２の積分時間を決定することと、ここで、前記第２の積分時間は、前記第１の積分時間とは異なる、
各画素の前記第１の光感知素子と前記第２の光感知素子との間で１つ以上のトランジスタを共有することと、共有される前記１つ以上のトランジスタは、前記第１の光感知素子及び前記第２の光感知素子を備える前記画素内に一体化される、
を備える方法。
【請求項２】
前記画素の前記第１の光感知素子からの少なくとも１つの信号と、前記画素の前記第２の光感知素子からの少なくとも１つの信号に少なくとも部分的に基づいて画像を形成すること
を更に備える、請求項１に記載の方法。
【請求項３】
画像を形成することは、以下の式に少なくとも部分的に基づいて画像を形成することを備え、
【数１】
2016528848.tif 000001
ここで、Ｔ１は、前記画素の前記第１の光感知素子の読出し値であり、Ｔ２は、前記画素の前記第２の光感知素子の読出し値であり、Ｔｈｄｒは、合成された画像であり、
【数２】
2016528848.tif 000002
ａ及びｂは、偏移幅を制御するチューニングパラメータであり、ＭＡＤは、以下によって定義される局所的な平均絶対誤差値であり、
【数３】
2016528848.tif 000003
Ｎは、画素（ｘ，ｙ）に中心があるウィンドウＷ（ｘ，ｙ）内の画素の総数である、
請求項２に記載の方法。
【請求項４】
前記画像は、高ダイナミックレンジ画像である、請求項１に記載の方法。
【請求項５】
前記画素の前記第１の光感知素子及び前記画素の前記第２の光感知素子のうちの少なくとも１つは、フォトダイオードである、請求項１に記載の方法。
【請求項６】
前記第２の積分時間は、前記第１の積分時間よりも短い、請求項１に記載の方法。
【請求項７】
前記第１の積分時間及び前記第２の積分時間のうちの少なくとも１つは、照明条件に少なくとも部分的に基づいて決定される、請求項１に記載の方法。
【請求項８】
電子デバイスであって、
複数の画素を備えるＣＭＯＳ可視画像センサと、ここにおいて、前記複数の画素のうちの一画素は、第１のウェルキャパシティを有する第１の光感知素子と、第２のウェルキャパシティを有する第２の光感知素子とを含み、ここで、前記第２のウェルキャパシティは、前記第１のウェルキャパシティよりも大きく、ここにおいて、各画素の前記第１の光感知素子及び前記第２の光感知素子は、１つ以上のトランジスタを共有し、共有される前記１つ以上のトランジスタは、前記第１の光感知素子及び前記第２の光感知素子を備える前記画素内に一体化される、
プロセッサと
を備え、前記プロセッサは、
前記画素の前記第１の光感知素子に対して使用されるべき第１の積分時間を決定することと、
前記画素の前記第２の光感知素子に対して使用されるべき第２の積分時間を決定することと、ここで、前記第２の積分時間は、前記第１の積分時間とは異なる、
を行うように構成される、デバイス。
【請求項９】
前記画素の前記第１の光感知素子及び前記画素の前記第２の光感知素子のうちの少なくとも１つは、フォトダイオードを備える、請求項８に記載のデバイス。
【請求項１０】
前記第２の積分時間は、前記第１の積分時間よりも短い、請求項８に記載のデバイス。
【請求項１１】
前記プロセッサは、照明条件に少なくとも部分的に基づいて第１の積分時間を決定するように構成される、請求項８に記載のデバイス。
【請求項１２】
前記プロセッサは、照明条件に少なくとも部分的に基づいて第２の積分時間を決定するように構成される、請求項８に記載のデバイス。
【請求項１３】
前記プロセッサは、画像を生成するように更に構成され、前記画像は、前記第１の光感知素子及び前記第２の光感知素子のうちの１つ以上からの信号に少なくとも部分的に基づく、請求項８に記載のデバイス。
【請求項１４】
画像を形成することは、以下の式に少なくとも部分的に基づいて画像を形成することを備え、
【数４】
2016528848.tif 000004
ここで、Ｔ１は、前記画素の前記第１の光感知素子の読出し値であり、Ｔ２は、前記画素の前記第２の光感知素子の読出し値であり、Ｔｈｄｒは、合成された画像であり、
【数５】
2016528848.tif 000005
ａ及びｂは、偏移幅を制御するチューニングパラメータであり、ＭＡＤは、以下によって定義される局所的な平均絶対誤差値であり、
【数６】
2016528848.tif 000006
Ｎは、画素（ｘ，ｙ）に中心があるウィンドウＷ（ｘ，ｙ）内の画素の総数である、
請求項１３に記載のデバイス。
【請求項１５】
前記画像は、高ダイナミックレンジ画像である、請求項１３に記載のデバイス。
【請求項１６】
電子デバイスであって、
ＣＭＯＳ可視画像センサに含まれる複数の画素のうちの一画素に含まれる、第１のウェルキャパシティを有する第１の光感知素子に対して第１の積分時間を決定するための手段と、
前記ＣＭＯＳ可視画像センサに含まれる前記複数の画素の前記画素に含まれる、第２のウェルキャパシティを有する第２の光感知素子に対して第２の積分時間を決定するための手段と、ここで、前記第２の積分時間は、前記第１の積分時間とは異なり、前記第２のウェルキャパシティは、前記第１のウェルキャパシティよりも大きい、
を備え、
各画素の前記第１の光感知素子及び前記第２の光感知素子は、１つ以上のトランジスタを共有し、共有される前記１つ以上のトランジスタは、前記第１の光感知素子及び前記第２の光感知素子を備える前記画素内に一体化される、デバイス。
【請求項１７】
前記画素の前記第１の光感知素子からの少なくとも１つの信号と、前記画素の前記第２の光感知素子からの少なくとも１つの信号に少なくとも部分的に基づいて画像を形成するための手段
を更に備える、請求項１６に記載のデバイス。
【請求項１８】
画像を形成するための手段は、以下の式に少なくとも部分的に基づいて画像を形成するための手段を備え、
【数７】
2016528848.tif 000007
ここで、Ｔ１は、前記画素の前記第１の光感知素子の読出し値であり、Ｔ２は、前記画素の前記第２の光感知素子の読出し値であり、Ｔｈｄｒは、合成された画像であり、
【数８】
2016528848.tif 000008
ａ及びｂは、偏移幅を制御するチューニングパラメータであり、ＭＡＤは、以下によって定義される局所的な平均絶対誤差値であり、
【数９】
2016528848.tif 000009
Ｎは、画素（ｘ，ｙ）に中心があるウィンドウＷ（ｘ，ｙ）内の画素の総数である、
請求項１７に記載のデバイス。
【請求項１９】
前記画像は、高ダイナミックレンジ画像である、請求項１７に記載のデバイス。
【請求項２０】
前記画素の前記第１の光感知素子及び前記画素の前記第２の光感知素子のうちの少なくとも１つは、フォトダイオードである、請求項１６に記載のデバイス。
【請求項２１】
前記第２の積分時間は、前記第１の積分時間よりも短い、請求項１６に記載のデバイス。
【請求項２２】
前記第１の積分時間及び前記第２の積分時間のうちの少なくとも１つは、照明条件に少なくとも部分的に基づいて決定される、請求項１６に記載のデバイス。
【請求項２３】
装置のプロセッサによって実行可能な命令を備えるコンピュータ可読記憶媒体であって、前記命令は、
複数の画素を備えるＣＭＯＳ可視画像センサを使用して画像を撮ることと、ここにおいて、前記複数の画素のうちの一画素は、第１のウェルキャパシティを有する第１の光感知素子と、第２のウェルキャパシティを有する第２の光感知素子とを含み、前記第２のウェルキャパシティは、前記第１のウェルキャパシティよりも大きい、
各画素の前記第１の光感知素子と前記第２の光感知素子との間で１つ以上のトランジスタを共有することと、共有される前記１つ以上のトランジスタは、前記第１の光感知素子及び前記第２の光感知素子を備える前記画素内に一体化される、
前記画素の前記第１の光感知素子に対して第１の積分時間を決定することと、
前記画素の前記第２の光感知素子に対して第２の積分時間を決定することと、ここで、前記第２の積分時間は、前記第１の積分時間とは異なる、
を前記装置に行わせる、コンピュータ可読記憶媒体。
【請求項２４】
前記画素の前記第１の光感知素子からの少なくとも１つの信号と、前記画素の前記第２の光感知素子からの少なくとも１つの信号とに少なくとも部分的に基づいて画像を生成すること
を前記装置に行わせる命令を更に備える、請求項２３に記載のコンピュータ可読記憶媒体。
【請求項２５】
生成された前記画像は、以下の式に少なくとも部分的に基づき、
【数１０】
2016528848.tif 000010
ここで、Ｔ１は、前記画素の前記第１の光感知素子の読出し値であり、Ｔ２は、前記画素の前記第２の光感知素子の読出し値であり、Ｔｈｄｒは、合成された画像であり、
【数１１】
2016528848.tif 000011
ａ及びｂは、偏移幅を制御するチューニングパラメータであり、ＭＡＤは、以下によって定義される局所的な平均絶対誤差値であり、
【数１２】
2016528848.tif 000012
Ｎは、画素（ｘ，ｙ）に中心があるウィンドウＷ（ｘ，ｙ）内の画素の総数である、
請求項２３に記載のコンピュータ可読記憶媒体。
【請求項２６】
前記画像は、高ダイナミックレンジ画像である、請求項２３に記載のコンピュータ可読記憶媒体。
【請求項２７】
前記画素の前記第１の光感知素子及び前記画素の前記第２の光感知素子のうちの少なくとも１つは、フォトダイオードである、請求項２３に記載のコンピュータ可読記憶媒体。
【請求項２８】
前記第２の積分時間は、前記第１の積分時間よりも短い、請求項２３に記載のコンピュータ可読記憶媒体。
【請求項２９】
前記第１の積分時間及び前記第２の積分時間のうちの少なくとも１つは、照明条件に少なくとも部分的に基づいて決定される、請求項２３に記載のコンピュータ可読記憶媒体。
【手続補正２】
【補正対象書類名】明細書
【補正対象項目名】００６８
【補正方法】変更
【補正の内容】
【００６８】
[0077]  同様に、動作は、図面に特定の順序で描写されるが、このことが、所望の結果を達成するために、そのような動作が特定の順序で又は連続した順序で行われること、或いは、全ての例示された動作が行われることを必要とするものと理解されるべきではない。ある特定の環境では、マルチタスク及び並列処理は有利であり得る。更に、上述された実装形態における様々なシステム構成要素の分離は、全ての実装形態においてそのような分離を要求するものとして理解されるべきではなく、説明されたプログラム構成要素及びシステムが、一般に単一のソフトウェア製品へと纏めて一体化され得るか、又は複数のソフトウェア製品にパッケージ化され得ることは理解されるべきである。加えて、他の実装は、以下の特許請求の範囲内である。幾つかのケースでは、特許請求の範囲に記載されているアクションは、異なる順序で行われ、それでもなお所望の結果を達成することができる。
以下に本願の出願当初の特許請求の範囲に記載された発明を付記する。
［Ｃ１］
第１のウェルキャパシティを有する少なくとも１つの第１の光感知素子と、第２のウェルキャパシティを有する少なくとも１つの第２の光感知素子とを含む画像センサを用いて画像を撮影する方法であって、前記第２のウェルキャパシティは、前記第１のウェルキャパシティよりも大きく、前記方法は、
前記少なくとも１つの第１の光感知素子の各々に対して第１の積分時間を決定することと、
前記少なくとも１つの第２の光感知素子の各々に対して第２の積分時間を決定することと、ここにおいて、前記第２の積分時間は、前記第１の積分時間とは異なる、
を備える方法。
［Ｃ２］
前記少なくとも１つの第１の光感知素子からの少なくとも１つの信号と、前記少なくとも１つの第２の光感知素子からの少なくとも１つの信号に少なくとも部分的に基づいて画像を形成すること
を更に備える、Ｃ１に記載の方法。
［Ｃ３］
画像を形成することは、以下の式に少なくとも部分的に基づいて画像を形成することを備え、
【数７】
2016528848.tif 000013
ここにおいて、Ｎは、画素（ｘ，ｙ）に中心があるｍ×ｎのウィンドウであるウィンドウＷ（ｘ，ｙ）内の画素の総数であり、Ｔ１は、前記少なくとも１つの第１の光感知素子の読出し値であり、Ｔ２は、前記少なくとも１つの第２の光感知素子の読出し値であり、Ｔｈｄｒは、前記合成された画像であり、
【数８】
2016528848.tif 000014
ａ及びｂは、偏移幅を制御するチューニングパラメータであり、ＭＡＤは、以下によって定義される局所的な平均絶対誤差値である、
【数９】
2016528848.tif 000015
Ｃ２に記載の方法。
［Ｃ４］
前記画像は、高ダイナミックレンジ画像である、Ｃ１に記載の方法。
［Ｃ５］
前記少なくとも１つの第１の光感知素子及び前記少なくとも１つの第２の光感知素子のうちの少なくとも１つは、フォトダイオードである、Ｃ１に記載の方法。
［Ｃ６］
前記第２の積分時間は、前記第１の積分時間よりも短い、Ｃ１に記載の方法。
［Ｃ７］
前記第１の積分時間及び前記第２の積分時間のうちの少なくとも１つは、照明条件に少なくとも部分的に基づいて決定される、Ｃ１に記載の方法。
［Ｃ８］
電子デバイスであって、
第１のウェルキャパシティを有する少なくとも１つの第１の光感知素子と、第２のウェルキャパシティを有する少なくとも１つの第２の光感知素子とを含むＣＭＯＳ可視画像センサと、ここにおいて、前記第２のウェルキャパシティは、前記第１のウェルキャパシティよりも大きい、
プロセッサと
を備え、前記プロセッサは、
前記少なくとも１つの第１の光感知素子の各々に対して使用されるべき第１の積分時間を決定することと、
前記少なくとも１つの第２の光感知素子の各々に対して使用されるべき第２の積分時間を決定することと、ここにおいて、前記第２の積分時間は、前記第１の積分時間とは異なる、
を行うように構成される、デバイス。
［Ｃ９］
前記少なくとも１つの第１の光感知素子及び前記少なくとも１つの第２の光感知素子のうちの少なくとも１つは、フォトダイオードを備える、Ｃ８に記載のデバイス。
［Ｃ１０］
前記第２の積分時間は、前記第１の積分時間よりも短い、Ｃ８に記載のデバイス。
［Ｃ１１］
前記プロセッサは、照明条件に少なくとも部分的に基づいて第１の積分時間を決定するように構成される、Ｃ８に記載のデバイス。
［Ｃ１２］
前記プロセッサは、照明条件に少なくとも部分的に基づいて第２の積分時間を決定するように構成される、Ｃ８に記載のデバイス。
［Ｃ１３］
前記少なくとも１つの第１の光感知素子及び前記少なくとも１つの第２の光感知素子は、１つ以上のトランジスタを共有する、Ｃ８に記載のデバイス。
［Ｃ１４］
前記プロセッサは、画像を形成するように更に構成され、前記画像は、前記少なくとも１つの第１のフォトダイオード及び前記少なくとも１つの第２のフォトダイオードのうちの１つ以上からの信号に少なくとも部分的に基づく、Ｃ８に記載のデバイス。
［Ｃ１５］
画像を形成することは、以下の式に少なくとも部分的に基づいて画像を形成することを備え、
【数１０】
2016528848.tif 000016
ここにおいて、Ｎは、画素（ｘ，ｙ）に中心があるｍ×ｎのウィンドウであるウィンドウＷ（ｘ，ｙ）内の画素の総数であり、Ｔ１は、前記少なくとも１つの第１の光感知素子の読出し値であり、Ｔ２は、前記少なくとも１つの第２の光感知素子の読出し値であり、Ｔｈｄｒは、前記合成された画像であり、
【数１１】
2016528848.tif 000017
ａ及びｂは、偏移幅を制御するチューニングパラメータであり、ＭＡＤは、以下によって定義される局所的な平均絶対誤差値である、
【数１２】
2016528848.tif 000018
Ｃ１４に記載のデバイス。
［Ｃ１６］
前記画像は、高ダイナミックレンジ画像である、Ｃ１４に記載のデバイス。
［Ｃ１７］
電子デバイスであって、
ＣＭＯＳ可視画像センサに含まれる、第１のウェルキャパシティを有する少なくとも１つの第１の光感知素子の各々に対して第１の積分時間を決定するための手段と、
前記ＣＭＯＳ可視画像センサに含まれる、第２のウェルキャパシティを有する少なくとも１つの第２の光感知素子の各々に対して第２の積分時間を決定するための手段と、ここにおいて、前記第２の積分時間は、前記第１の積分時間とは異なり、前記第２のウェルキャパシティは、前記第１のウェルキャパシティよりも大きい、
を備える、デバイス。
［Ｃ１８］
前記少なくとも１つの第１の光感知素子からの少なくとも１つの信号と、前記少なくとも１つの第２の光感知素子からの少なくとも１つの信号に少なくとも部分的に基づいて画像を形成するための手段
を更に備える、Ｃ１７に記載のデバイス。
［Ｃ１９］
画像を形成するための手段は、以下の式に少なくとも部分的に基づいて画像を形成するための手段を備え、
【数１３】
2016528848.tif 000019
ここにおいて、Ｎは、画素（ｘ，ｙ）に中心があるｍ×ｎのウィンドウであるウィンドウＷ（ｘ，ｙ）内の画素の総数であり、Ｔ１は、前記少なくとも１つの第１の光感知素子の読出し値であり、Ｔ２は、前記少なくとも１つの第２の光感知素子の読出し値であり、Ｔｈｄｒは、前記合成された画像であり、
【数１４】
2016528848.tif 000020
ａ及びｂは、偏移幅を制御するチューニングパラメータであり、ＭＡＤは、以下によって定義される局所的な平均絶対誤差値である、
【数１５】
2016528848.tif 000021
Ｃ１８に記載のデバイス。
［Ｃ２０］
前記画像は、高ダイナミックレンジ画像である、Ｃ１７に記載のデバイス。
［Ｃ２１］
前記少なくとも１つの第１の光感知素子及び前記少なくとも１つの第２の光感知素子のうちの少なくとも１つは、フォトダイオードである、Ｃ１７に記載のデバイス。
［Ｃ２２］
前記第２の積分時間は、前記第１の積分時間よりも短い、Ｃ１７に記載のデバイス。
［Ｃ２３］
前記第１の積分時間及び前記第２の積分時間のうちの少なくとも１つは、照明条件に少なくとも部分的に基づいて決定される、Ｃ１７に記載のデバイス。
［Ｃ２４］
命令を備える非一時的コンピュータ可読媒体であって、前記命令は、実行されると、第１のウェルキャパシティを有する少なくとも１つの第１の光感知素子と、第２のウェルキャパシティを有する少なくとも１つの第２の光感知素子とを含むＣＭＯＳ可視画像センサを使用して画像を撮る方法を行うことをデバイス内のプロセッサに行わせ、前記第２のウェルキャパシティは、前記第１のウェルキャパシティよりも大きく、前記方法は、
前記少なくとも１つの第１の光感知素子の各々に対して第１の積分時間を決定することと、
前記少なくとも１つの第２の光感知素子の各々に対して第２の積分時間を決定することと、ここにおいて、前記第２の積分時間は、前記第１の積分時間とは異なる、
を備える、非一時的コンピュータ可読媒体。
［Ｃ２５］
前記方法は、
前記少なくとも１つの第１の光感知素子からの少なくとも１つの信号と、前記少なくとも１つの第２の光感知素子からの少なくとも１つの信号とに少なくとも部分的に基づいて画像を形成すること
を更に備える、Ｃ２４に記載の非一時的コンピュータ可読媒体。
［Ｃ２６］
画像を形成することは、以下の式に少なくとも部分的に基づいて画像を形成することを備え、
【数１６】
2016528848.tif 000022
ここにおいて、Ｎは、画素（ｘ，ｙ）に中心があるｍ×のウィンドウであるウィンドウＷ（ｘ，ｙ）内の画素の総数であり、Ｔ１は、前記少なくとも１つの第１の光感知素子の読出し値であり、Ｔ２は、前記少なくとも１つの第２の光感知素子の読出し値であり、Ｔｈｄｒは、前記合成された画像であり、
【数１７】
2016528848.tif 000023
ａ及びｂは、偏移幅を制御するチューニングパラメータであり、ＭＡＤは、以下によって定義される局所的な平均絶対誤差値である、
【数１８】
2016528848.tif 000024
Ｃ２５に記載の非一時的コンピュータ可読媒体。
［Ｃ２７］
前記画像は、高ダイナミックレンジ画像である、Ｃ２４に記載の非一時的コンピュータ可読媒体。
［Ｃ２８］
前記少なくとも１つの第１の光感知素子及び前記少なくとも１つの第２の光感知素子のうちの少なくとも１つは、フォトダイオードである、Ｃ２４に記載の非一時的コンピュータ可読媒体。
［Ｃ２９］
前記第２の積分時間は、前記第１の積分時間よりも短い、Ｃ２４に記載の非一時的コンピュータ可読媒体。
［Ｃ３０］
前記第１の積分時間及び前記第２の積分時間のうちの少なくとも１つは、照明条件に少なくとも部分的に基づいて決定される、Ｃ２４に記載の非一時的コンピュータ可読媒体。